(57)【要約】【課題】プラスチック板等の剛性なる構造板を直交状に連結することによって六面体等の筺体を形成する筐体の構造であって、頑強に組み立てられるとともに、ゴミが拭き取り易く掃除し易い筐体の構造を提供する。【解決手段】一方の構造板１の側縁寄りを鈍角に折り曲げることにより傾斜面８を形成し、該傾斜面の先端を前記折曲方向とは反対向きにＵ字状に折り曲げることにより条溝９を形成し、他方の構造板２の端縁を該条溝９に差し込むことにより両構造板１，２を直交状に連結する。【選択図】図１
2005350119.tif 000002
【特許請求の範囲】
【請求項１】
一方の構造板の側縁寄りを鈍角に折り曲げることにより傾斜面を形成し、該傾斜面の先端を前記折曲方向とは反対向きにＵ字状に折り曲げることにより条溝を形成し、他方の構造板の端縁を該条溝に差し込むことにより両構造板を直交状に連結してなることを特徴とした筐体構造。
【請求項２】
底板の側縁寄りを斜め上方に折り曲げることにより傾斜面を形成し、該傾斜面の先端をさらにＵ字状に折り曲げることにより上方に開口する条溝を形成し、側板の下端部を該条溝に差し込むことにより該底板と側板とを直交状に連結してなることを特徴とした筐体構造。
【請求項３】
天板の側縁寄りを斜め下方に折り曲げることにより傾斜面を形成し、該傾斜面の先端をさらに逆Ｕ字状に折り曲げることにより下方に開口する条溝を形成し、側板の上端部を該条溝に差し込むことにより該天板と側板とを直交状に連結してなることを特徴とした筐体構造。
【発明の詳細な説明】
【技術分野】
【０００１】
本発明は、プラスチック板等の剛性なる構造板を直交状に連結することによって六面体等の筺体を形成する筐体の構造に関するもので、例えばペットショップ等に設けて犬等の獣を容れておくケージ、その他の用途を持つ筐体として使用可能なるものである。
【背景技術】
【０００２】
犬等の獣を容れておくケージ、その他の筺体を構成するためにプラスチック板等の剛性なる構造板を直交状に連結する構造として、従来から一方の構造板の側縁を直交状に折曲げ、他方の構造板の側縁をその折曲部と重合させ、重合部にビスを貫通させることにより連結する等の構成が知られている。
【０００３】
なお下記特許文献１に示されたペット用小屋付きロッカーにおいても、側面パネルの上縁および下縁に内側に直交状に折曲る連結縁を形成し、該連結縁に開設された透孔にビス等を貫挿することにより、側面パネルに底板および天板が連結されるようにしている。
【特許文献１】特開平１１−１６９００６号公報
【発明の開示】
【発明が解決しようとする課題】
【０００４】
ところで、一般に筺体は頑強に組み立てられることを要する他、例えば上記獣用ケージのような場合は、内部が掃除し易く、特に内部の隅にゴミが残らないように拭き取り易くできていることが要望されるが、従来の筐体内の底面周縁部は上記のような連結のためのビスが突出していたり、側板が直交状に起立しているものであったので、ゴミが拭き取り難く不衛生になり易いものであった。
また、例えば底板と側板との連結部は多数のビスを狭いピッチで設けて連結したとしても充分な強度が得られないことから、従来ではＬ形部材等を連結片として用いて補強せざるを得ないものであった。
本発明はこのような従来の筐体構成上の問題点を解消しようとするものである。
【課題を解決するための手段】
【０００５】
そのために請求項１に記載の筐体構造は、一方の構造板の側縁寄りを鈍角に折り曲げることにより傾斜面を形成し、該傾斜面の先端を前記折曲方向とは反対向きにＵ字状に折り曲げることにより条溝を形成し、他方の構造板の端縁を該条溝に差し込むことにより両構造板を直交状に連結してなることを特徴とする。
このため、構造板どうしを直交状に頑強に連結し得る。
【０００６】
また請求項２に記載の筐体構造は、底板の側縁寄りを斜め上方に折り曲げることにより傾斜面を形成し、該傾斜面の先端をさらにＵ字状に折り曲げることにより上方に開口する条溝を形成し、側板の下端部を該条溝に差し込むことにより該底板と側板とを直交状に連結してなることを特徴とする。
このため、底板と側板とを頑強に連結し得る。
【０００７】
また請求項３に記載の筐体構造は、天板の側縁寄りを斜め下方に折り曲げることにより傾斜面を形成し、該傾斜面の先端をさらに逆Ｕ字状に折り曲げることにより下方に開口する条溝を形成し、側板の上端部を該条溝に差し込むことにより該天板と側板とを直交状に連結してなることを特徴とする。
このため、天板と側板とを頑強に連結し得る。
【発明の効果】
【０００８】
筐体を頑強に組み立てられるとともに、内部にゴミが溜まりやすい隅角ができない掃除し易い筐体を構成することができる。
【実施例１】
【０００９】
次に本発明の実施例を獣用ケージについて図面に従い説明する。図１は本発明に係る筺体の分解斜視図である。同図中、１は略方形板状の底板、２は両側の一対の側板、３は天板、４は内側に透明板ガラス５が設けられたステンレス製の背面枠、６はヒンジ６ａにより開閉可能にガラス扉７が設けられた前面枠である。底板１は図２，図４にも示されるように両側縁寄りを斜め上方に折り曲げることにより傾斜面８を形成し、該傾斜面の先端をさらにＵ字状に折り曲げることにより上方に開口する条溝９を形成している。なお、該底板１はプラスチック製であり、板状のプラスチックを成形型内にセットし型面に真空吸引することにより該傾斜面８，条溝９等を形成し得る。また、該条溝９と直交する２辺には上方に直交状に起立する起立片１０が同時に折曲形成される。なお、天板３は同じ成形型によりこの底板１と同一形状に形成されたものであるので、同一部分に同一符号を付して示す。従って天板３は図１に底板１と天地を逆にして図示される。
また、側板２は同じく板状のプラスチックから成形されたもので、両側縁に内側に直交状に折れ曲がることにより支柱状となる折曲片１１が形成される。
【００１０】
そして上記底板１と側板２とは、図３，図４に示したように、条溝９に側板２の下端部を差し込むことにより直交状に連結される。なお、図４に示されるように必要に応じてビスやリベット１２を該条溝９と側板２の下端部に貫挿し、或いは該条溝９中に接着剤を塗布することにより、側板２の下端部を該条溝９中に固着する。また同様に側板２の上端部を天板３の条溝９に差し込むことにより直交状に連結する。そして、背面枠４を底板１の背面側起立片１０と両側板２の折曲片１１と天板３の背面側起立片１０にそれぞれビス止めするとともに、前面枠６を底板１の前面側起立片１０と両側板２の折曲片１１と天板３の前面側起立片１０にそれぞれビス止めすることにより、図３に示した筺体に組み立てられる。
【００１１】
このように構成された筺体は、底板１および天板３の条溝９に側板２の下端部および上端部を差し込むことにより、該側板２が底板１および天板３と連結されるので、頑強に組み立てられ、外力に対して変形し難く耐久性も高い。また、底板１の両側縁に緩やかに起立する傾斜面８が形成され該傾斜面の上端が両側板２に連なることから、内面が鈍角状に連なる滑らかな角のない面となるとともに、ビスやリベットが内面に突き出ることもないので、ゴミが付着し難く掃除し易い。このため、獣用ケージとして使用した場合、容易に衛生的に保つことができる。
【００１２】
なお、上記実施例では背面に透明板ガラス５が設けられた背面枠４を設けたが、図５に示す実施例のように、背面板１３を両側板２と一体に形成するとともに、底板１の後縁寄りにも斜め上方に折り曲げることにより傾斜面８および条溝９を形成し、該条溝９に該背面板１３の下端部を差し込み、同形に形成された天板３の条溝９に該背面板１３の上端部を差し込むことにより筺体が形成されるようにしてもよく、これによって一層頑強な筺体を組み立てることができるとともに、底板１の後縁についても掃除し易くすることができる。また、図示しないが、背面板と側板、或いは前面板と連結させるのにも同様の構造を採ることができる。要するに本発明は、筺体の構造板どうしを直交状に連結するの多くの個所で利用することができる。
【００１３】
また、図６に示したように側板２の下端部や上端部を内側に段状に屈曲した形状に形成することにより、外面にリベット１２の頭部が突出しないように処理することもできる。また、同図中、１４は条溝９中に隙間埋め用として介在させた適宜厚さの帯状板で、このように条溝９の内幅が成形の都合から広くならざるを得ない場合は、その隙間を埋めるべく別部材を該条溝９中に介在させてもよい。また、リベット，ビス等を使用せず接合することも可能である。
【産業上の利用可能性】
【００１４】
このように本発明によれば、一方の構造板の側縁寄りを鈍角に折り曲げることにより傾斜面を形成し、該傾斜面の先端を前記折曲方向とは反対向きにＵ字状に折り曲げることにより条溝を形成し、他方の構造板の端縁を該条溝に差し込むことにより両構造板を直交状に連結でき、頑強な筐体を構成することができるので、犬小屋等の獣用ケージとしてだけでなく、物品収納用ロッカー、その他の用途を持つ筐体を構成するのに有効に利用できる。
【図面の簡単な説明】
【００１５】
【図１】本発明の実施例である筺体の分解斜視図。
【図２】図１の筺体の底板の拡大斜視図。
【図３】図１の筺体の組み立て状態の外観斜視図。
【図４】図１の筺体の要部の縦断面図。
【図５】本発明の他の実施例を示す筺体の分解斜視図。
【図６】本発明の他の実施例を示す筺体の要部の縦断面図。
【符号の説明】
【００１６】
１      底板
２      側板
３      天板
４      背面枠
６      前面枠
８      傾斜面
９      条溝
１０    起立片
１１    折曲片
１２    リベット
１３    背面板
【図１】
2005350119.tif 000003
【図２】
2005350119.tif 000004
【図３】
2005350119.tif 000005
【図４】
2005350119.tif 000006
【図５】
2005350119.tif 000007
【図６】
2005350119.tif 000008